【手続補正書】
【提出日】令和3年9月14日(2021.9.14)
【手続補正１】
【補正対象書類名】明細書
【補正対象項目名】０１３４
【補正方法】変更
【補正の内容】
【０１３４】
上述の説明、図面ならびに請求項において開示される本発明の特徴は、単独でも任意の組み合わせにおいても、種々異なる実施形態で本発明を実現するために重要であり得る。
以下、本発明の好ましい実施形態を項分け記載する。
実施形態１  
プラズマトーチヘッド、レーザ切断ヘッドまたはプラズマレーザ切断ヘッド用のノズル（２）であって、長手方向軸線Ｍを有する本体（２０）と、前端部（２２）と、後端部（２８）と、前記前端部（２２）に設けられたノズル開口（２４）とを含み、前記前端部（２２）の前記ノズル開口（２４）が、前記前端部から見て、縦断面で少なくとも以下の区分、すなわち
−前記長手方向軸線Ｍに沿って延び、前記後端部（２８）に向かう方向で先細りする第１の区分Ａ１であって、内面（２１１）と、前記前端部（２２）に設けられた本体エッジ（２０１）とを備えた第１の区分Ａ１と、
−前記長手方向軸線Ｍに沿って延びる第２の区分Ａ３であって、内面（２２０）と、前記第１の区分Ａ１から前記第２の区分Ａ３への移行部に設けられた本体エッジ（２０３）とを備えた第２の区分Ａ３と
を含んでいて、
前記前端部（２２）における前記ノズル開口（２４）の前記本体エッジ（２０１）と、前記第１の区分Ａ１から前記第２の区分Ａ３への前記移行部に設けられた前記本体エッジ（２０３）との間の仮想の接続ラインＶ１と、前記長手方向軸線Ｍとが、１５°〜４０°の範囲、好適には２０°〜３８°の範囲、さらに好適には２０°〜３５°の範囲、最も好適には２５°〜３５°の範囲の角度α１を形成し、かつ／または前記第１の区分Ａ１の前記内面（２１１）と、前記長手方向軸線Ｍとが、１０°〜３０°の範囲、好適には１２°〜３０°の範囲、さらに好適には１４°〜２５°の範囲、さらに好適には１５°〜２０°の範囲、最も好適には１７°〜２０°の範囲の角度αを形成し、かつ
前記第１の区分Ａ１から前記第２の区分Ａ３への前記移行部に設けられた前記本体エッジ（２０３）と前記第２の区分Ａ３から第３の区分Ａ５への移行部に設けられた本体エッジ（２０５）との間の仮想の接続ラインＶ３と、前記長手方向軸線Ｍとが、０°〜８°の範囲、好適には５°の角度γ１を形成して前記後端部（２８）に向かう方向で拡開するか、または１７２°〜１８０°の範囲、好適には１７５°の角度γ１を形成して前記後端部（２８）に向かう方向で先細りするか、または前記長手方向軸線Ｍに対して平行に延びる、または
前記第２の区分Ａ３の前記内面（２２０）が、０°〜８°の範囲、好適には５°の角度γで前記後端部（２８）に向かう方向で拡開するか、または１７２°〜１８０°の範囲、好適には１７５°の角度で前記後端部（２８）の方向に向かう方向で先細りするか、または前記長手方向軸線Ｍに対して平行に延びる、
ノズル（２）。
実施形態２  
前記第１の区分Ａ１から前記第２の区分Ａ３への前記移行部において、または該移行部の手前または直前に、前記長手方向軸線Ｍに対して４５°〜１２０°の範囲、好適には６０°〜１１０°の範囲、さらに好適には８０°〜１００°の範囲、さらに好適には８５°〜９５°の範囲の角度βで延び、最も好適には垂直方向に延びる、少なくとも１つの別の内面（２１３）が位置している、実施形態１記載のノズル（２）。
実施形態３  
前記前端部（２２）から見て、前記第２の区分Ａ３の背後に、前記長手方向軸線Ｍに沿って延び、前記後端部（２８）に向かう方向で拡開する、内面（２２４）を備えた第３の区分Ａ５が存在している、実施形態１または２記載のノズル（２）。
実施形態４  
前記第３の区分（Ａ５）の前記内面（２２４）が、前記長手方向軸線Ｍに沿って前記後端部（２８）に向かう方向で拡開する少なくとも１つの領域を有していて、該領域の内面と、前記長手方向軸線Ｍとが、３０°〜９０°の範囲、好適には４０°〜７５°の範囲の角度δを形成する、実施形態３記載のノズル。
実施形態５  
前記前端部（２２）から見て、前記第３の区分Ａ５の背後に、内面（２２７）を備えた第４の区分Ａ７が存在していて、前記第２の区分Ａ３から前記第３の区分Ａ５への前記移行部に設けられた前記本体エッジ（２０５）と、前記第３の移行部Ａ５から前記第４の区分Ａ７への移行部に設けられた本体エッジ（２０６）との間の仮想の接続ラインＶ４と、前記長手方向軸線Ｍとが、３０°〜９０°の範囲、好適には４０°〜７５°の範囲の角度δ１を形成し、かつ／または前記第３の区分Ａ５の前記内面（２２４）と、前記長手方向軸線Ｍとが、３０°〜９０°の範囲、好適には４０°〜７５°の範囲の角度δを形成する、実施形態３記載のノズル。
実施形態６  
前記前端部（２２）から見て、前記第３の区分Ａ５の背後に、内面（２２７）を備えた第４の区分Ａ７が存在していて、該第４の区分Ａ７の前記内面（２２７）が、前記長手方向軸線Ｍに対して０°〜１０°の範囲、好適には５°の角度εで前記後端部（２８）に向かう方向で拡開するか、または１７０°〜１８０°の範囲、好適には１７５°の角度で前記後端部（２８）に向かう方向で先細りするか、または前記長手方向軸線Ｍに対して平行に延びる少なくとも１つの領域を有している、または
前記第４の区分Ａ７の前記内面（２２７）が、前記長手方向軸線Ｍに対して、０°〜１０°の範囲、好適には５°の角度εで前記後端部（２８）に向かう方向で拡開するか、または１７０°〜１８０°の範囲、好適には１７５°の角度で前記後端部（２８）に向かう方向で先細りするか、または前記長手方向軸線Ｍに対して平行に延びる、実施形態３記載のノズル（２）。
実施形態７  
前記第１の区分Ａ１が、前記前端部（２２）から見て、円錐状、凸状または凹状に先細りする、かつ／または
前記第２の区分Ａ３が、円錐状、凸状または凹状に先細りするかまたは拡開する、かつ／または
前記第３の区分Ａ５が、円錐状、凸状または凹状に拡開する、かつ／または
前記第４の区分Ａ７が、円錐状、凸状または凹状に先細りするかまたは拡開する、
実施形態１から６までのいずれか１項記載のノズル（２）。
実施形態８  
前記第１の区分Ａ１が、前記前端部（２２）から見て、連続的または非連続的に先細りする、かつ／または
前記第２の区分Ａ３が、連続的または非連続的に先細りするかまたは拡開する、かつ／または
前記第３の区分Ａ５が、連続的または非連続的に拡開する、かつ／または
前記第４の区分Ａ７が、連続的または非連続的に先細りするかまたは拡開する、
実施形態１から６までのいずれか１項記載のノズル（２）。
実施形態９  
前記第１の区分Ａ１が、前記前端部（２２）から見て、段階的に先細りする、かつ／または
前記第２の区分Ａ３が、段階的にかつ／または前記長手方向軸線Ｍに対して垂直方向に先細りするかまたは拡開する、かつ／または
前記第３の区分Ａ５が、段階的にかつ／または前記長手方向軸線Ｍに対して垂直方向に拡開する、かつ／または
前記第４の区分Ａ７が、段階的にかつ／または前記長手方向軸線Ｍに対して垂直方向に先細りするかまたは拡開する、
実施形態１から６までのいずれか１項記載のノズル（２）。
実施形態１０  
前記第１の区分Ａ１および前記第２の区分Ａ３、または
前記第２の区分Ａ３および前記第３の区分Ａ５、または
前記第３の区分Ａ５および前記第４の区分Ａ７、または
前記第１の区分Ａ１、前記第２の区分Ａ３および前記第３の区分Ａ５、または
前記第２の区分Ａ３、前記第３の区分Ａ５および前記第４の区分Ａ７、または
前記第１の区分Ａ１、前記第２の区分Ａ３、前記第３の区分Ａ５および前記第４の区分Ａ７が、互いに直接に続いている、実施形態１から９までのいずれか１項記載のノズル（２）。
実施形態１１  
前記第１の区分Ａ１の最大の横断面積Ａ１０、および／または前記ノズル開口（２４）の、該ノズル開口（２４）の前記前端部（２２）に直接に位置する最大の横断面積Ａ１０が、前記第２の区分Ａ３の最小の横断面積Ａ３０，Ａ３１および／または前記ノズル開口（２４）の最小の横断面積Ａ３０，Ａ３１よりも最小で１．７倍、好適には２．１倍大きく、かつ／または最大で４．０倍、好適には３．７倍大きい、実施形態１から１０までのいずれか１項記載のノズル（２）。
実施形態１２  
前記第１の区分Ａ１の最大の直径Ｄ１、および／または前記ノズル開口（２４）の、該ノズル開口（２４）の前記前端部に直接に位置する最大の直径Ｄ１が、前記第２の区分Ａ３の最小の直径Ｄ３および／または前記ノズル開口（２４）の最小の直径Ｄ３よりも最小で１．３倍、好適には１．４５倍大きく、かつ／または最大で２．１倍、好適には１．９倍大きい、実施形態１から１１までのいずれか１項記載のノズル（２）。
実施形態１３  
前記第１の区分Ａ１の最大の直径Ｄ１、および／または前記ノズル開口（２４）の、該ノズル開口（２４）の前記前端部（２２）に直接に位置する最大の直径Ｄ１が、前記第２の区分Ａ３の最小の直径Ｄ３および／または前記ノズル開口（２４）の最小の直径Ｄ３よりも最小で０．５ｍｍ、好適には０．６ｍｍ大きく、かつ／または最大で１．２ｍｍ、好適には１．０ｍｍ大きい、実施形態１から１２までのいずれか１項記載のノズル（２）。
実施形態１４  
前記第１の区分Ａ１の、前記長手方向軸線Ｍに沿って延びる長さＬ１と、前記第２の区分Ａ３の、前記長手方向軸線Ｍに沿って延びる長さＬ３との商Ｌ１／Ｌ３が、０．５〜１．２、好適には０．６５〜１である、実施形態１から１３までのいずれか１項記載のノズル（２）。
実施形態１５  
前記第３の区分Ａ５の、前記長手方向軸線Ｍに沿って延びる長さＬ５と、前記第１の区分Ａ１の、前記長手方向軸線Ｍに沿って延びる長さＬ１との商Ｌ５／Ｌ１が、１．５以下であり、好適には１．２５以下である、実施形態１から１４までのいずれか１項記載のノズル（２）。
実施形態１６  
前記第３の区分Ａ５の、前記長手方向軸線Ｍに沿って延びる長さＬ５と、前記第２の区分Ａ３の、前記長手方向軸線Ｍに沿って延びる長さＬ３との商Ｌ５／Ｌ３が、１．２５以下であり、好適には１以下である、実施形態１から１５までのいずれか１項記載のノズル（２）。
実施形態１７  
前記第１の区分の長さ、前記第２の区分の長さ、前記第３の区分の長さおよび前記第４の区分の長さに対して、
Ｌ１≦２ｍｍ、Ｌ３≦３ｍｍ、Ｌ５≦２ｍｍおよびＬ７≦３ｍｍ、好適には
Ｌ１≦１ｍｍ、Ｌ３≦１．５ｍｍ、Ｌ５≦１．５ｍｍおよびＬ７≦２．５ｍｍ
が当てはまる、実施形態１から１６までのいずれ１項記載のノズル（２）。
実施形態１８  
前記第２の区分Ａ３の、前記長手方向軸線Ｍに沿って延びる長さＬ３と、前記第２の区分Ａ３の直径Ｄ３との商Ｌ３／Ｄ３が、０．６〜１．７、好適には０．６５〜１．５５である、実施形態１から１７までのいずれか１項記載のノズル（２）。
実施形態１９  
前記第４の区分Ａ７の最大の直径Ｄ７が、前記第１の区分Ａ１の最大の直径Ｄ１および／または前記ノズル開口（２４）の、該ノズル開口（２４）の前記前端部（２２）に直接に位置する最大の直径Ｄ１と、最小で同一の大きさであり、かつ最大で前記直径Ｄ１の２倍の大きさである、実施形態１から１８までのいずれか１項記載のノズル（２）。
実施形態２０  
前記第１の区分Ａ１の前記内面（２１１および／または２１１および２１３）により形成される容積Ｖ１０が、前記第２の区分Ａ３の前記内面（２２０）により形成される容積Ｖ３０よりも大きく、好適には最小で１．３倍大きく、かつ／または最大で２．５倍大きく、さらに好適には最大で２．２倍大きい、実施形態１から１９までのいずれか１項記載のノズル（２）。
実施形態２１  
前記第１の区分Ａ１から前記第２の区分Ａ３への前記移行部において、前記第２の区分Ａ３の直径Ｄ３が、前記第１の区分Ａ１の直径Ｄ２および／または最小の直径Ｄ２よりも最小で０．２ｍｍ小さく、かつ／または最大で０．６ｍｍ小さい、実施形態１から２０までのいずれか１項記載のノズル（２）。
実施形態２２  
実施形態１から２１までのいずれか１項記載のノズル（２）と、ノズル保護キャップ（６）とから成るアセンブリであって、前記ノズル（２）と前記ノズル保護キャップ（６）とが、少なくとも前端部（２２）およびノズル開口（２４）の領域において互いに離間して配置されており、前記ノズル保護キャップ（６）が、前記ノズル開口（２４）に長手方向軸線Ｍ上で整合する開口（６４）を有している、アセンブリ。
実施形態２３  
前記ノズル（２）の外面（２３）と、前記ノズル保護キャップ（６）の内面（６２）との間に、ノズルキャップ（５）が配置されている、実施形態２２記載のアセンブリ。
実施形態２４  
前記ノズル保護キャップ（６）の開口（６４）が、前記ノズル（２）の横断面積Ａ１０よりも大きな横断面積Ａ６０、好適には前記ノズル（２）の、前記ノズル保護キャップ（６）に向かって延長された仮想の接続ラインＶ１により投影される仮想の面積Ａ７０と同一の大きさであるかまたは該仮想の面積Ａ７０よりも大きな横断面積Ａ６０を有しているか、または前記ノズル（２）の直径Ｄ１よりも大きな直径Ｄ６、好適には前記ノズル（２）の、前記ノズル保護キャップ（６）に向かって延長された仮想の接続ラインＶ１により投影される仮想の面積Ａ７０の直径Ｄ７０と同一の大きさであるかまたは該直径Ｄ７０よりも大きな直径Ｄ６を有している、かつ／または前記ノズル保護キャップ（６）の前記開口（６４）が、前記ノズル（２）の横断面積Ａ１０よりも大きな横断面積Ａ６０、好適には前記ノズル（２）の、前記ノズル保護キャップ（６）に向かって延長された仮想の接続ラインＶ２により投影される仮想の面積Ａ８０と同一の大きさであるかまたは該面積Ａ８０よりも大きな横断面積Ａ６０を有しているか、または前記ノズル（２）の直径Ｄ１よりも大きな直径Ｄ６、好適には前記ノズル（２）の、前記ノズル保護キャップ（６）に向かって延長された仮想の接続ラインＶ２により投影される仮想の面積Ａ８０の直径Ｄ８０と同一の大きさであるかまたは該直径Ｄ８０よりも大きな直径Ｄ６を有している、実施形態２２または２３記載のアセンブリ。
実施形態２５  
前記ノズル（２）の前記第１の区分Ａ１の長さＬ１および／または前記第２の区分Ａ３の長さＬ３および／または長さＬ１と長さＬ３との合計が、前記ノズル（２）の前記前端部（２２）の外面（２３０）と、前記ノズル保護キャップ（６）の前記内面（６２）との間の最短の間隔Ｌ６１の長さよりも大きい、実施形態２２から２４までのいずれか１項記載のアセンブリ。
実施形態２６  
前記ノズル（２）または前記ノズルキャップ（５）が、前記ノズル保護キャップ（６）から、前記開口（７１）を含むガスガイド部（７）によって互いに電気絶縁されて配置されている、実施形態２２から２５までのいずれか１項記載のアセンブリ。
実施形態２７  
前記ガスガイド部（７）の前記開口（７１）が、前記長手方向軸線Ｍに対して半径方向に、または前記長手方向軸線Ｍの半径方向線に対してずらされてまたは傾斜して、または前記長手方向軸線Ｍに対して平行に、または前記長手方向軸線Ｍに対して傾斜して配置されている、実施形態２６記載のアセンブリ。
実施形態２８  
前記長手方向軸線Ｍに沿って互いに離間して配置されている、実施形態１から２１までのいずれか１項記載のノズル（２）と、電極（３）とから成る、アセンブリ。
実施形態２９  
電極（３）を含み、該電極（３）が、電極ホルダ（３２）と、該電極（３）の前端部（３３）に設けられた放射インサート（３１）とを含み、該放射インサート（３１）が、前記長手方向軸線Ｍに沿って前記ノズル開口（２４）に整合して延びていて、前記電極（３）の前記前端部（３３）が、前記ノズル（２）の内室（２５）内に配置されていて、前記電極（３）の前記前端部（３３）の外面（３４）と、前記ノズル開口（２４）の前記区分Ａ３との間の間隔Ｌ１３が、前記第１の区分Ａ１の長さＬ１および／または前記第２の区分Ａ３の長さＬ３および／または前記ノズル（２）の前記第１の区分Ａ１の長さＬ１と前記第２の区分Ａ３の長さＬ３との合計よりも最小で１．５倍大きい、実施形態２８記載のアセンブリ。
実施形態３０  
前記ノズル（２）と前記電極（３）とが、前記開口（４１）を含むガスガイド部（４）により互いに電気的に絶縁されて離間して配置されている、実施形態２８または２９記載のアセンブリ。
実施形態３１  
前記ガスガイド部（４）が、開口（４１）を含んでいる、実施形態２８から３０までのいずれか１項記載のアセンブリ。
実施形態３２  
前記開口（４１）が、前記長手方向軸線Ｍに対して半径方向に、または前記長手方向軸線Ｍの半径方向線に対してずらされてまたは傾斜して、または前記長手方向軸線Ｍに対して平行に、または前記長手方向軸線Ｍに対して傾斜して配置されている、実施形態３１記載のアセンブリ。
実施形態３３  
前記電極が、電極ホルダ（３２）と、放射インサート（３１）とを含んでいて、該放射インサート（３１）が、前記電極（３）の前記前端部（３３）において前記電極ホルダ（３２）から突出していない、実施形態２８から３２までのいずれか１項記載のアセンブリ。
実施形態３４  
実施形態１から２１までのいずれか１項記載のノズル（２）および／または実施形態２２から３３までのいずれか１項記載のアセンブリを含む、プラズマトーチヘッド、レーザ切断ヘッドまたはプラズマレーザ切断ヘッド。
実施形態３５  
実施形態３４記載のプラズマトーチヘッドを含む、プラズマトーチ。
実施形態３６  
プラズマアークトーチ、プラズマ切断トーチまたはプラズマアーク切断トーチである、実施形態３５記載のプラズマトーチ。
実施形態３７  
実施形態１から２１までのいずれか１項記載のノズル（２）および／または実施形態２２から２７までのいずれか１項記載のアセンブリを含む、レーザ切断ヘッド。
実施形態３８  
実施形態１から２１までのいずれか１項記載のノズル（２）および／または実施形態２２から３３までのいずれか１項記載のアセンブリを含む、プラズマレーザ切断ヘッド。
実施形態３９  
実施形態３５または３６記載のプラズマトーチを使用する、プラズマ切断法。
実施形態４０  
実施形態３７記載のレーザ切断ヘッドを使用する、レーザ切断法。
実施形態４１  
実施形態３８記載のプラズマレーザ切断ヘッドを使用する、プラズマレーザ切断法。
実施形態４２  
酸化性ガス、非酸化性ガスおよび／または還元ガスまたはガス混合物をプラズマガスおよび／またはプロセスガスおよび／または二次ガスとして使用する、実施形態３９から４１までのいずれか１項記載の方法。
【手続補正２】
【補正対象書類名】特許請求の範囲
【補正対象項目名】全文
【補正方法】変更
【補正の内容】
【特許請求の範囲】
【請求項１】
プラズマトーチヘッド、レーザ切断ヘッドまたはプラズマレーザ切断ヘッド用のノズル（２）であって、長手方向軸線Ｍを有する本体（２０）と、前端部（２２）と、後端部（２８）と、前記前端部（２２）に設けられたノズル開口（２４）とを含み、前記前端部（２２）の前記ノズル開口（２４）が、前記前端部から見て、縦断面で少なくとも以下の区分、すなわち
−前記長手方向軸線Ｍに沿って延び、前記後端部（２８）に向かう方向で先細りする第１の区分Ａ１であって、内面（２１１）と、前記前端部（２２）に設けられた本体エッジ（２０１）とを備えた第１の区分Ａ１と、
−前記長手方向軸線Ｍに沿って延びる第２の区分Ａ３であって、内面（２２０）と、前記第１の区分Ａ１から前記第２の区分Ａ３への移行部に設けられた本体エッジ（２０３）とを備えた第２の区分Ａ３と
を含んでいて、
前記前端部（２２）における前記ノズル開口（２４）の前記本体エッジ（２０１）と、前記第１の区分Ａ１から前記第２の区分Ａ３への前記移行部に設けられた前記本体エッジ（２０３）との間の仮想の接続ラインＶ１と、前記長手方向軸線Ｍとが、１５°〜４０°の範囲の角度α１を形成し、かつ／または前記第１の区分Ａ１の前記内面（２１１）と、前記長手方向軸線Ｍとが、１０°〜３０°の範囲の角度αを形成し、かつ
前記第１の区分Ａ１から前記第２の区分Ａ３への前記移行部に設けられた前記本体エッジ（２０３）と前記第２の区分Ａ３から第３の区分Ａ５への移行部に設けられた本体エッジ（２０５）との間の仮想の接続ラインＶ３と、前記長手方向軸線Ｍとが、０°〜８°の範囲の角度γ１を形成して前記後端部（２８）に向かう方向で拡開するか、または１７２°〜１８０°の範囲の角度γ１を形成して前記後端部（２８）に向かう方向で先細りするか、または前記長手方向軸線Ｍに対して平行に延びる、または
前記第２の区分Ａ３の前記内面（２２０）が、０°〜８°の範囲の角度γで前記後端部（２８）に向かう方向で拡開するか、または１７２°〜１８０°の範囲の角度で前記後端部（２８）の方向に向かう方向で先細りするか、または前記長手方向軸線Ｍに対して平行に延びる、
ノズル（２）。
【請求項２】
前記第１の区分Ａ１から前記第２の区分Ａ３への前記移行部において、または該移行部の手前または直前に、前記長手方向軸線Ｍに対して４５°〜１２０°の範囲の角度βで延びる、少なくとも１つの別の内面（２１３）が位置している、請求項１記載のノズル（２）。
【請求項３】
前記前端部（２２）から見て、前記第２の区分Ａ３の背後に、前記長手方向軸線Ｍに沿って延び、前記後端部（２８）に向かう方向で拡開する、内面（２２４）を備えた第３の区分Ａ５が存在している、請求項１または２記載のノズル（２）。
【請求項４】
前記第３の区分（Ａ５）の前記内面（２２４）が、前記長手方向軸線Ｍに沿って前記後端部（２８）に向かう方向で拡開する少なくとも１つの領域を有していて、該領域の内面と、前記長手方向軸線Ｍとが、３０°〜９０°の範囲の角度δを形成する、請求項３記載のノズル。
【請求項５】
前記前端部（２２）から見て、前記第３の区分Ａ５の背後に、内面（２２７）を備えた第４の区分Ａ７が存在していて、前記第２の区分Ａ３から前記第３の区分Ａ５への前記移行部に設けられた前記本体エッジ（２０５）と、前記第３の移行部Ａ５から前記第４の区分Ａ７への移行部に設けられた本体エッジ（２０６）との間の仮想の接続ラインＶ４と、前記長手方向軸線Ｍとが、３０°〜９０°の範囲の角度δ１を形成し、かつ／または前記第３の区分Ａ５の前記内面（２２４）と、前記長手方向軸線Ｍとが、３０°〜９０°の範囲の角度δを形成する、請求項３記載のノズル。
【請求項６】
前記前端部（２２）から見て、前記第３の区分Ａ５の背後に、内面（２２７）を備えた第４の区分Ａ７が存在していて、該第４の区分Ａ７の前記内面（２２７）が、前記長手方向軸線Ｍに対して０°〜１０°の範囲の角度εで前記後端部（２８）に向かう方向で拡開するか、または１７０°〜１８０°の範囲の角度で前記後端部（２８）に向かう方向で先細りするか、または前記長手方向軸線Ｍに対して平行に延びる少なくとも１つの領域を有している、または
前記第４の区分Ａ７の前記内面（２２７）が、前記長手方向軸線Ｍに対して、０°〜１０°の範囲の角度εで前記後端部（２８）に向かう方向で拡開するか、または１７０°〜１８０°の範囲の角度で前記後端部（２８）に向かう方向で先細りするか、または前記長手方向軸線Ｍに対して平行に延びる、請求項３記載のノズル（２）。
【請求項７】
前記第１の区分Ａ１が、前記前端部（２２）から見て、円錐状、凸状または凹状に先細りする、かつ／または
前記第２の区分Ａ３が、円錐状、凸状または凹状に先細りするかまたは拡開する、かつ／または
前記第３の区分Ａ５が、円錐状、凸状または凹状に拡開する、かつ／または
前記第４の区分Ａ７が、円錐状、凸状または凹状に先細りするかまたは拡開する、
請求項１から６までのいずれか１項記載のノズル（２）。
【請求項８】
前記第１の区分Ａ１が、前記前端部（２２）から見て、連続的または非連続的に先細りする、かつ／または
前記第２の区分Ａ３が、連続的または非連続的に先細りするかまたは拡開する、かつ／または
前記第３の区分Ａ５が、連続的または非連続的に拡開する、かつ／または
前記第４の区分Ａ７が、連続的または非連続的に先細りするかまたは拡開する、
請求項１から６までのいずれか１項記載のノズル（２）。
【請求項９】
前記第１の区分Ａ１が、前記前端部（２２）から見て、段階的に先細りする、かつ／または
前記第２の区分Ａ３が、段階的にかつ／または前記長手方向軸線Ｍに対して垂直方向に先細りするかまたは拡開する、かつ／または
前記第３の区分Ａ５が、段階的にかつ／または前記長手方向軸線Ｍに対して垂直方向に拡開する、かつ／または
前記第４の区分Ａ７が、段階的にかつ／または前記長手方向軸線Ｍに対して垂直方向に先細りするかまたは拡開する、
請求項１から６までのいずれか１項記載のノズル（２）。
【請求項１０】
前記第１の区分Ａ１および前記第２の区分Ａ３、または
前記第２の区分Ａ３および前記第３の区分Ａ５、または
前記第３の区分Ａ５および前記第４の区分Ａ７、または
前記第１の区分Ａ１、前記第２の区分Ａ３および前記第３の区分Ａ５、または
前記第２の区分Ａ３、前記第３の区分Ａ５および前記第４の区分Ａ７、または
前記第１の区分Ａ１、前記第２の区分Ａ３、前記第３の区分Ａ５および前記第４の区分Ａ７が、互いに直接に続いている、請求項１から９までのいずれか１項記載のノズル（２）。
【請求項１１】
前記第１の区分Ａ１の最大の横断面積Ａ１０、および／または前記ノズル開口（２４）の、該ノズル開口（２４）の前記前端部（２２）に直接に位置する最大の横断面積Ａ１０が、前記第２の区分Ａ３の最小の横断面積Ａ３０，Ａ３１および／または前記ノズル開口（２４）の最小の横断面積Ａ３０，Ａ３１よりも最小で１．７倍大きく、かつ／または最大で４．０倍大きい、請求項１から１０までのいずれか１項記載のノズル（２）。
【請求項１２】
前記第１の区分Ａ１の最大の直径Ｄ１、および／または前記ノズル開口（２４）の、該ノズル開口（２４）の前記前端部に直接に位置する最大の直径Ｄ１が、前記第２の区分Ａ３の最小の直径Ｄ３および／または前記ノズル開口（２４）の最小の直径Ｄ３よりも最小で１．３倍大きく、かつ／または最大で２．１倍大きい、請求項１から１１までのいずれか１項記載のノズル（２）。
【請求項１３】
前記第１の区分Ａ１の最大の直径Ｄ１、および／または前記ノズル開口（２４）の、該ノズル開口（２４）の前記前端部（２２）に直接に位置する最大の直径Ｄ１が、前記第２の区分Ａ３の最小の直径Ｄ３および／または前記ノズル開口（２４）の最小の直径Ｄ３よりも最小で０．５ｍｍ大きく、かつ／または最大で１．２ｍｍ大きい、請求項１から１２までのいずれか１項記載のノズル（２）。
【請求項１４】
前記第１の区分Ａ１の、前記長手方向軸線Ｍに沿って延びる長さＬ１と、前記第２の区分Ａ３の、前記長手方向軸線Ｍに沿って延びる長さＬ３との商Ｌ１／Ｌ３が、０．５〜１．２である、請求項１から１３までのいずれか１項記載のノズル（２）。
【請求項１５】
前記第３の区分Ａ５の、前記長手方向軸線Ｍに沿って延びる長さＬ５と、前記第１の区分Ａ１の、前記長手方向軸線Ｍに沿って延びる長さＬ１との商Ｌ５／Ｌ１が、１．５以下である、請求項１から１４までのいずれか１項記載のノズル（２）。
【請求項１６】
前記第３の区分Ａ５の、前記長手方向軸線Ｍに沿って延びる長さＬ５と、前記第２の区分Ａ３の、前記長手方向軸線Ｍに沿って延びる長さＬ３との商Ｌ５／Ｌ３が、１．２５以下である、請求項１から１５までのいずれか１項記載のノズル（２）。
【請求項１７】
前記第１の区分の長さ、前記第２の区分の長さ、前記第３の区分の長さおよび前記第４の区分の長さに対して、
Ｌ１≦２ｍｍ、Ｌ３≦３ｍｍ、Ｌ５≦２ｍｍおよびＬ７≦３ｍｍ、
が当てはまる、請求項１から１６までのいずれ１項記載のノズル（２）。
【請求項１８】
前記第２の区分Ａ３の、前記長手方向軸線Ｍに沿って延びる長さＬ３と、前記第２の区分Ａ３の直径Ｄ３との商Ｌ３／Ｄ３が、０．６〜１．７である、請求項１から１７までのいずれか１項記載のノズル（２）。
【請求項１９】
前記第４の区分Ａ７の最大の直径Ｄ７が、前記第１の区分Ａ１の最大の直径Ｄ１および／または前記ノズル開口（２４）の、該ノズル開口（２４）の前記前端部（２２）に直接に位置する最大の直径Ｄ１と、最小で同一の大きさであり、かつ最大で前記直径Ｄ１の２倍の大きさである、請求項１から１８までのいずれか１項記載のノズル（２）。
【請求項２０】
前記第１の区分Ａ１の前記内面（２１１および／または２１１および２１３）により形成される容積Ｖ１０が、前記第２の区分Ａ３の前記内面（２２０）により形成される容積Ｖ３０よりも大きく、かつ／または最大で２．５倍大きい、請求項１から１９までのいずれか１項記載のノズル（２）。
【請求項２１】
前記第１の区分Ａ１から前記第２の区分Ａ３への前記移行部において、前記第２の区分Ａ３の直径Ｄ３が、前記第１の区分Ａ１の直径Ｄ２および／または最小の直径Ｄ２よりも最小で０．２ｍｍ小さく、かつ／または最大で０．６ｍｍ小さい、請求項１から２０までのいずれか１項記載のノズル（２）。
【請求項２２】
請求項１から２１までのいずれか１項記載のノズル（２）と、ノズル保護キャップ（６）とから成るアセンブリであって、前記ノズル（２）と前記ノズル保護キャップ（６）とが、少なくとも前端部（２２）およびノズル開口（２４）の領域において互いに離間して配置されており、前記ノズル保護キャップ（６）が、前記ノズル開口（２４）に長手方向軸線Ｍ上で整合する開口（６４）を有している、アセンブリ。
【請求項２３】
前記ノズル（２）の外面（２３）と、前記ノズル保護キャップ（６）の内面（６２）との間に、ノズルキャップ（５）が配置されている、請求項２２記載のアセンブリ。
【請求項２４】
前記ノズル保護キャップ（６）の開口（６４）が、前記ノズル（２）の横断面積Ａ１０よりも大きな横断面積Ａ６０を有しているか、または前記ノズル（２）の直径Ｄ１よりも大きな直径Ｄ６を有している、かつ／または前記ノズル保護キャップ（６）の前記開口（６４）が、前記ノズル（２）の横断面積Ａ１０よりも大きな横断面積Ａ６０を有しているか、または前記ノズル（２）の直径Ｄ１よりも大きな直径Ｄ６を有している、請求項２２または２３記載のアセンブリ。
【請求項２５】
前記ノズル（２）の前記第１の区分Ａ１の長さＬ１および／または前記第２の区分Ａ３の長さＬ３および／または長さＬ１と長さＬ３との合計が、前記ノズル（２）の前記前端部（２２）の外面（２３０）と、前記ノズル保護キャップ（６）の前記内面（６２）との間の最短の間隔Ｌ６１の長さよりも大きい、請求項２２から２４までのいずれか１項記載のアセンブリ。
【請求項２６】
前記ノズル（２）または前記ノズルキャップ（５）が、前記ノズル保護キャップ（６）から、前記開口（７１）を含むガスガイド部（７）によって互いに電気絶縁されて配置されている、請求項２２から２５までのいずれか１項記載のアセンブリ。
【請求項２７】
前記ガスガイド部（７）の前記開口（７１）が、前記長手方向軸線Ｍに対して半径方向に、または前記長手方向軸線Ｍの半径方向線に対してずらされてまたは傾斜して、または前記長手方向軸線Ｍに対して平行に、または前記長手方向軸線Ｍに対して傾斜して配置されている、請求項２６記載のアセンブリ。
【請求項２８】
前記長手方向軸線Ｍに沿って互いに離間して配置されている、請求項１から２１までのいずれか１項記載のノズル（２）と、電極（３）とから成る、アセンブリ。
【請求項２９】
電極（３）を含み、該電極（３）が、電極ホルダ（３２）と、該電極（３）の前端部（３３）に設けられた放射インサート（３１）とを含み、該放射インサート（３１）が、前記長手方向軸線Ｍに沿って前記ノズル開口（２４）に整合して延びていて、前記電極（３）の前記前端部（３３）が、前記ノズル（２）の内室（２５）内に配置されていて、前記電極（３）の前記前端部（３３）の外面（３４）と、前記ノズル開口（２４）の前記区分Ａ３との間の間隔Ｌ１３が、前記第１の区分Ａ１の長さＬ１および／または前記第２の区分Ａ３の長さＬ３および／または前記ノズル（２）の前記第１の区分Ａ１の長さＬ１と前記第２の区分Ａ３の長さＬ３との合計よりも最小で１．５倍大きい、請求項２８記載のアセンブリ。
【請求項３０】
前記ノズル（２）と前記電極（３）とが、前記開口（４１）を含むガスガイド部（４）により互いに電気的に絶縁されて離間して配置されている、請求項２８または２９記載のアセンブリ。
【請求項３１】
前記ガスガイド部（４）が、開口（４１）を含んでいる、請求項２８から３０までのいずれか１項記載のアセンブリ。
【請求項３２】
前記開口（４１）が、前記長手方向軸線Ｍに対して半径方向に、または前記長手方向軸線Ｍの半径方向線に対してずらされてまたは傾斜して、または前記長手方向軸線Ｍに対して平行に、または前記長手方向軸線Ｍに対して傾斜して配置されている、請求項３１記載のアセンブリ。
【請求項３３】
前記電極が、電極ホルダ（３２）と、放射インサート（３１）とを含んでいて、該放射インサート（３１）が、前記電極（３）の前記前端部（３３）において前記電極ホルダ（３２）から突出していない、請求項２８から３２までのいずれか１項記載のアセンブリ。
【請求項３４】
請求項１から２１までのいずれか１項記載のノズル（２）および／または請求項２２から３３までのいずれか１項記載のアセンブリを含む、プラズマトーチヘッド、レーザ切断ヘッドまたはプラズマレーザ切断ヘッド。
【請求項３５】
請求項３４記載のプラズマトーチヘッドを含む、プラズマトーチ。
【請求項３６】
プラズマアークトーチ、プラズマ切断トーチまたはプラズマアーク切断トーチである、請求項３５記載のプラズマトーチ。
【請求項３７】
請求項１から２１までのいずれか１項記載のノズル（２）および／または請求項２２から２７までのいずれか１項記載のアセンブリを含む、レーザ切断ヘッド。
【請求項３８】
請求項１から２１までのいずれか１項記載のノズル（２）および／または請求項２２から３３までのいずれか１項記載のアセンブリを含む、プラズマレーザ切断ヘッド。
【請求項３９】
請求項３５または３６記載のプラズマトーチを使用する、プラズマ切断法。
【請求項４０】
請求項３７記載のレーザ切断ヘッドを使用する、レーザ切断法。
【請求項４１】
請求項３８記載のプラズマレーザ切断ヘッドを使用する、プラズマレーザ切断法。
【請求項４２】
酸化性ガス、非酸化性ガスおよび／または還元ガスまたはガス混合物をプラズマガスおよび／またはプロセスガスおよび／または二次ガスとして使用する、請求項３９から４１までのいずれか１項記載の方法。